【事件の表示】
　特願２０１３−　９２０３２「動画視聴システム、同システムの動作方法、動画再生端末装置、同装置の動作プログラム及び動作プログラム配信サーバ」拒絶査定不服審判事件〔平成２６年１１月１７日出願公開、特開２０１４−２１６８０８〕について、次のとおり審決する。
【結　論】
　本件審判の請求は、成り立たない。
【理　由】
第１　経緯
１　経緯
　本件出願は、平成２５年４月２５日の出願であって、平成２８年１０月７日付けで拒絶理由の通知がなされ、これに対し、平成２８年１１月２９日付けで手続補正がなされたが、平成２８年１２月２８日付け（発送日平成２９年１月５日）で拒絶査定がなされた。
　本件は、上記拒絶査定を不服として平成２９年３月３０日付けで請求された拒絶査定不服審判であって、同時に手続補正がなされた。
　　
２　査定の概要
　原査定の理由は、概略、次のとおりである。
　　
（理由１）この出願の請求項１〜８に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
（理由２）この出願の請求項１〜８に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
　　　　　　　　　　　　　　　　　記
　　引用文献１：特開２００８−１４８０７１号公報
　　
（理由３：明確性、理由４：実施可能要件については省略）
　　
第２　補正却下の決定
　平成２９年３月３０日付けの手続補正について次のとおり決定する。
 　 
［補正却下の決定の結論］
　平成２９年３月３０日付けの手続補正を却下する。
　　
［理由］
１　補正の内容
　平成２９年３月３０日付けの手続補正（以下「本件補正」という。）は、平成２８年１１月９日付けの手続補正の特許請求の範囲を以下のとおり補正するものである（下線は補正箇所である。）。
　　
「　【請求項１】
動画を配信する動画配信サーバと、
　前記動画を視聴し、又は視聴した動画再生端末装置にて動画再生中のコメントの表示を望むシーンのタイミングで当該コメントの文字・記号・フォント・色彩などを定義づけるコメント文字情報とその表示または相互表示に関する情報を作成しコメント配信サーバ等に送信し、これを受信したコメントであって、動画の再生に対して前記コメントの表示を望むシーンのタイミングで再生すべきコメントを、静止コメントとして前記動画配信サーバから動画を受信し再生している動画再生端末装置に対してコメントを表示すべき前記タイミングと略同じタイミングで表示するように配信する静止コメント配信サーバと、
からなる動画視聴システムであって、
　前記静止コメント配信サーバは、
　各コメントが動画再生画面中に再生開始されるタイミングである再生時間タイミング又は／及びその後消去されるタイミングである消去時間タイミングを示す情報である継続表示時間情報と、各コメントに割り当てられている画面占有量を示す画面占有量情報と、を含むコメント配置情報を、動画再生端末装置において動画再生画面上にて同時に表示されるコメントの配置計画を演算させるために送信するコメント配置情報送信部を有する動画視聴システム。
　　【請求項２】
　コメント配置情報送信部は、各コメントの文字数に応じてコメントのフォントサイズ又は／及びコメントの画面占有量を演算させるための第二画面占有量情報を送信する第二画面占有量情報送信手段をさらに有する請求項１に記載の動画視聴システム。
　　【請求項３】
　コメント配置情報送信部は、コメントに付された属性に応じてコメントを配置するコメント属性依存配置計画を演算させるためのコメント属性依存配置情報を送信するコメント属性依存配置情報送信手段をさらに有する請求項１又は２に記載の動画視聴システム。
　　【請求項４】
動画を配信する動画配信サーバと、
　前記動画を視聴し、又は視聴した動画再生端末装置にて動画再生中のコメントの表示を望むシーンのタイミングで当該コメントの文字・記号・フォント・色彩などを定義づけるコメント文字情報とその表示または相互表示に関する情報を作成しコメント配信サーバ等に送信し、これを受信したコメントであって、動画の再生に対して前記コメントの表示を望むシーンのタイミングで再生すべきコメントを、静止コメントとして前記動画配信サーバから動画を受信し再生している動画再生端末装置に対してコメントを表示すべき前記タイミングと略同じタイミングで表示するように配信する静止コメント配信サーバと、
からなる動画視聴システムの動作方法であって、
　前記静止コメント配信サーバは、
　各コメントが動画再生画面中に再生開始されるタイミングである再生時間タイミング又は／及びその後消去されるタイミングである消去時間タイミングを示す情報である継続表示時間情報取得ステップと、
　各コメントに割り当てられている画面占有量を示す画面占有量情報を取得する画面占有量情報取得ステップと、
　前記画面占有量情報取得ステップにて取得された画面占有量情報と前記継続表示時間情報取得ステップにて取得された継続表示時間情報と、を含むコメント配置情報を動画再生端末装置において動画再生画面上にて同時に表示されるコメントの配置計画を演算させるために送信するコメント配置情報送信ステップと、
　を有する動画視聴システムの動作方法。
　　【請求項５】
　動画配信サーバから動画を受信する動画受信部と、
　請求項１から３のいずれか一に記載の静止コメント配信サーバから静止コメントのコメント文字情報を受信する文字情報受信部と、
　そのコメント文字情報で構成されるコメントのコメント配置情報を受信するコメント配置情報受信部と、
　受信したコメント文字情報と、受信したコメント配置情報とからコメントの配置計画を演算するコメント配置計画演算部と、
　演算されたコメント配置計画に基づいて動画と同時にコメントを再生する再生部と、
を有する動画再生端末装置。
　　【請求項６】
　コメント配置計画演算部は、
　各コメントを動画再生画面中にランダムに配置するための不規則性コメント配置演算手段と、
　同時に表示すべきコメント数に応じて不規則性コメント配置演算手段を利用するか決定する配置演算決定手段と、
　を有する請求項５記載の動画再生端末装置。
　　【請求項７】
　動画配信サーバから動画を受信する動画受信ステップと、
　請求項１から３のいずれか一に記載の静止コメント配信サーバから静止コメントのコメント文字情報を受信する文字情報受信ステップと、
　受信したコメント文字情報で構成されるコメントのコメント配置情報を受信するコメント配置情報受信ステップと、
　受信したコメント文字情報と受信したコメント配置情報とによってコメントの配置計画であるコメント配置計画を演算するコメント配置計画演算ステップと、
　演算されたコメント配置計画に基づいて動画と同時にコメントを再生する再生ステップと、
を有する動画再生端末装置の動作プログラム。
　　【請求項８】
　請求項７に記載の動作プログラムを配信する動作プログラム配信サーバ。」
　　
を、
　　
「　　【請求項１】
動画を配信する動画配信サーバと、
　前記動画を視聴し、又は視聴した動画再生端末装置にて動画再生中のコメントの表示を望むシーンのタイミングで当該コメントの文字・記号・フォント・色
彩を
報を
バに
からなる動画視聴システムであって、
　前記静止コメント配信サーバは、
　各コメントが動画再生画面中に再生開始されるタイミングである再生時間タイミング又は／及びその後消去されるタイミングである消去時間タイミングを示す情報である継続表示時間情報と、各コメント
の文字数を示す
一のコメントの表示又は複数のユーザによって作成された表示を望むシーンのタイミングで再生すべき複数のコメントの文字情報の相互表示に関する情報
　　【請求項２】
　コメント配置情報送信部は、コメントに付された属性に応じてコメントを配置するコメント属性依存配置計画を演算させるための
コメント属性
　　【請求項３】
動画を配信する動画配信サーバと、
　前記動画を視聴し、又は視聴した動画再生端末装置にて動画再生中のコメントの表示を望むシーンのタイミングで当該コメントの文字・記号・フォント・色
彩を
報を
バに
からなる動画視聴システムの動作方法であって、
　前記静止コメント配信サーバは、
　各コメントが動画再生画面中に再生開始されるタイミングである再生時間タイミング又は／及びその後消去されるタイミングである消去時間タイミングを示す情報である継続表示時間情報取得ステップと、
　各コメントの
文字数を示す
　前記画面占有量情報取得ステップにて取得された画面占有量情報と前記継続表示時間情報取得ステップにて取得された継続表示時間情報と、
一のコメントの表示又は複数のユーザによって作成された表示を望むシーンのタイミングで再生すべき複数のコメントの文字情報の相互表示に関する情報
　を有する動画視聴システムの動作方法。」
に補正するものである。
 　 
２　補正の適合性 
　本件補正の目的について検討する。
　本件補正のうち請求項１は、以下のとおりにする補正である。
　　
(a)「前記動画を視聴し、又は視聴した動画再生端末装置にて動画再生中のコメントの表示を望むシーンのタイミングで当該コメントの文字・記号・フォント・色彩などを定義づけるコメント文字情報とその表示または相互表示に関する情報を作成しコメント配信サーバ等に送信し」を
「前記動画を視聴し、又は視聴した動画再生端末装置にて動画再生中のコメントの表示を望むシーンのタイミングで当該コメントの文字・記号・フォント・色
彩を
報を
バに
とする。
(b)「各コメントに割り当てられている画面占有量を示す画面占有量情報」を「各コメント
の文字数を示す
(c)「コメント配置情報」に、さらに、「
一のコメントの表示又は複数のユーザによって作成された表示を望むシーンのタイミングで再生すべき複数のコメントの文字情報の相互表示に関する情報
　　
　上記(a)をみると、補正後の「動画再生端末装置」は、「その表示または相互表示に関する情報」を作成する事項が削除されており、このような請求項１を含む補正は、特許請求の範囲の減縮を目的とするものとは認められない。
　また、本件補正は、請求項の削除、誤記の訂正、明瞭でない記載の釈明を目的とするものとも認められない。
　　
　したがって、本件補正は、特許法第１７条の２第５項の規定に違反するので、同法第１５９条第１項において読み替えて準用する同法第５３条第１項の規定により却下すべきものである。
　　
　仮に、本件補正が、特許請求の範囲の減縮を目的とするものであったとしても、以下のとおり、特許請求の範囲に記載されている事項により特定される発明が特許出願の際独立して特許を受けることができるものではない。
　　
３　独立特許要件
（１）補正発明
　補正後の請求項１〜３に係る発明のうち請求項１に係る発明（以下「補正発明」という。）は、次のとおりのものである。
　　
（補正発明）
「（Ａ）動画を配信する動画配信サーバと、
（Ｂ）前記動画を視聴し、又は視聴した動画再生端末装置にて動画再生中のコメントの表示を望むシーンのタイミングで当該コメントの文字・記号・フォント・色彩を定義づけるコメント文字情報を作成しコメント配信サーバに送信し、
（Ｃ）これを受信したコメントであって、動画の再生に対して前記コメントの表示を望むシーンのタイミングで再生すべきコメントを、静止コメントとして前記動画配信サーバから動画を受信し再生している動画再生端末装置に対してコメントを表示すべき前記タイミングと略同じタイミングで表示するように配信する静止コメント配信サーバと、
（Ｄ）からなる動画視聴システムであって、
（Ｅ）前記静止コメント配信サーバは、
　各コメントが動画再生画面中に再生開始されるタイミングである再生時間タイミング又は／及びその後消去されるタイミングである消去時間タイミングを示す情報である継続表示時間情報と、各コメントの文字数を示す画面占有量情報と、一のコメントの表示又は複数のユーザによって作成された表示を望むシーンのタイミングで再生すべき複数のコメントの文字情報の相互表示に関する情報を含むコメント配置情報を、動画再生端末装置において動画再生画面上にて同時に表示されるコメントの配置計画を演算させるために送信するコメント配置情報送信部を有する
（Ｆ）動画視聴システム。」
　　
（（Ａ）〜（Ｆ）は、当審で付与した。以下各構成を「構成Ａ」〜「構成Ｆ」という。）
　　
（２）引用文献１の記載及び引用文献１に記載された発明
ア　引用文献１の記載
　原査定の拒絶の理由に引用された特開２００８−１４８０７１号公報（上記引用文献１）には、「表示装置、コメント表示装置、及びプログラム」（発明の名称）に関し、図面と共に次に掲げる事項が記載されている（下線は当審で付与した。）。
　　
「【００１８】
　以下、本発明の一実施形態によるコメント配信システムの第１の実施形態について図面を参照して説明する。図１は、この発明の一実施形態による
コメント配信システム
動画配信サーバ１は
動画データを配信する
コメント配信サーバ２は、動画配信サーバ１が配信する動画に対するコメントを端末装置３から受信し、その動画を閲覧する各端末装置３に配信する
端末装置３は
動画配信サーバ１から配信される動画を受信して表示するとともに、コメント配信サーバ３から配信されるコメントを受信して動画上に表示する
　　【００１９】
　次に、図１におけるコメント配信サーバ２、端末装置３について、図面を用いて更に説明する。図２は、
コメント配信サーバ２の構成
コメント情報記憶部２１は、コメントの内容と、このコメント内容が付与された時点における、動画の再生開始時点を基準とした動画再生時間をコメント付与時間としてコメント内容とを対応づけてコメント情報として記憶する
　このコメント情報記憶部２１に記憶されるデータの一例を図３に示す。コメント情報記憶部２１には、動画配信サーバ１により配信される動画に対するコメントをスレッド毎にまとめたコメント情報が複数記憶されている。各コメント情報は、動画を識別する動画ＩＤとスレッドを識別するスレッドＩＤの情報を含み、どの動画に対するどのスレッドであるのかを識別できるようになっている。そして、
コメント情報には、コメント付与時間とコメント内容の他に、そのコメントを付与（発言）した実際の時刻を示すコメント情報投稿実時間
と、コメントを付与したユーザを識別する情報であるユーザ名、コメントを動画上にどのように表示させるのかを指定する情報であるコメント表示方法を対応付けたコメントデータが複数含まれ
当該動画ＩＤの動画を再生しており、且つ当該スレッドＩＤのスレッドのコメントを閲覧している端末装置３からコメントデータを受信した場合には、当該受信したコメントデータが追加保存されるようになっている
　【００２０】
　次に、
コメント情報配信部２２は
コメント情報を
端末装置３に配信する
　通信部２４は、端末装置３と各種通信を行い、端末装置３から送信される情報をコメント情報更新管理部２３に出力してコメント情報を追加して記憶させるための指示を出力をしたり、コメント情報配信部２２にコメント情報の配信指示を出力する。」
　　
「【００２１】
　次に、端末装置３について、図面を用いて説明する。図４は、
端末装置３の構成
　この図において、動画再生部３１は、端末装置３のユーザによって指定された動画の配信要求を動画配信サーバ１に送信し、
動画配信サーバ１から配信される動画を受信して再生する
再生する動画に対して入力されたコメント情報をコメント配信サーバ２から受信する
　【００２２】
　表示装置３４は、液晶表示装置やＣＲＴ（Ｃａｔｈｏｄｅ　Ｒａｙ　Ｔｕｂｅ）等であり、各種情報を表示する。第１の表示部３５は、動画再生部３１によって
再生される動画を表示するとともに
再生する動画の動画再生時間に対応するコメント付与時間が対応づけられたコメントをコメント情報から読み出し、読み出したコメントを動画とともに
表示する
　　
「【００２４】
　操作パネル１０６は、再生ボタン、停止ボタン、巻き戻しボタン、早送りボタン、音量調整ボタン、動画全体のどのあたりを再生しているのかを示す再生状態表示欄、などが表示されており、マウスによっていずれかのボタンにカーソルを合わせてクリックされることによって、そのボタンに応じた操作の入力を受け付けする。表示欄１０７には、動画全体の再生時間長と、現在表示欄１０５に表示されている動画の動画再生時間とが表示される。入力欄１０８には、
動画に対して発言するユーザの名前が
入力される
コメントの表示のさせ方を指定する情報を入力することも可能である
コメントの表示のさせ方としては
コメントの動画上に表示させる位置、フォント、文字のサイズ
の指定をする情報として設定可能である
　　
「【００３５】
　一方、ステップＳ２０５において、表示させるコメントがなければ、配信部４０は、入力部３７からコメントが入力されたか否かを検出する（ステップＳ２０９）。
コメントの入力があった場合には、そのコメントが入力された時点
における、その動画
再生時間（動画再生時間）を読み出し、その動画再生時間をコメント付与時間とし
再生中の動画の動画ＩＤ
現在の実時間情報（現在時刻の情報）と、端末装置３のユーザのユーザ名と、入力されたコメント内容と、コメント表示方法とを対応づけて、コメント情報としてコメント情報記憶部３３のコメント一覧に追加保存する
送信部４０は、追加保存したコメント情報をコメント配信サーバ２に送信し
　　
「【００４５】
　次に、第２の実施形態について説明する。ここでは、
コメントが表示される位置が重複するか否かを検出し、重複すると判定された場合に、コメントの表示位置を変更する場合
　図１１は、図４における第１の表示部３５の構成を示すブロック図である。
　変更部５０は、
文字列の文字サイズを変更して表示させるたり、文字のフォント、文字の装飾（斜体など）を変更する機能を有する
　判定部５１は、表示されるコメントが他のコメントと重なるか否かを判定する。
　
この判定部５１は、コメントのコメント表示時間と当該コメントの文字列長とに基づいて、コメント同士が重なるか否かを判定する
コメントが同じ位置（固定位置）で表示されるコメント同士である場合には、その固定位置において同じ座標において重なるか否かを判定し
　判定部５１は、移動して表示されるコメントについては、表示させておく時間であるコメント表示時間とコメントの文字列長とに基づいた移動速度でコメントが移動して画面上に表示されるので、コメントのコメント表示時間と当該コメントの文字列長とに基づいて、移動するコメントと他の移動するコメントとが重なるか否かを判定する。
　また、判定部５１は、移動して表示されるコメントと、
固定位置で表示されるコメントとが重なるか否かを判定する
　また、判定部５１は、変更部５０によって変更された後の文字サイズに基づいて、文字列長を決定し、コメントが重なるか否かを判定したり、コメントが複数行で表示される場合、コメントの行数と各行の文字列長に基づいて、重なるか否かを判定したりする機能を有する。
　表示位置制御部５２は、判定部５１がコメントが重なると判定した場合に、各コメントを判読可能に表示させる。ここでは、
コメント同士が重ならない位置にコメントを表示させるように表示位置を変更する
　　
「【００５４】
　上述した実施形態において、ユーザによって入力されたコメントは、画面上の上段、中段、下段など、表示させる位置や、コメントを移動表示させる表示時間を入力欄１０９に入力することによって設定することが可能である。また、
表示時間を設定する
ある動画再生時間に多数のコメントが集中して入力された場合等において、それらを表示させると同じ高さのラインで重なってしまう場合は、画面上の高さを変えて表示
させることが可能である
　【００５５】
　また、
コメントは、文章を入力するだけでなく、文字や記号等を並べ
　【００５６】
　また、
実時間に基づいて、コメントの新旧を判断し、実時間において古い時点で入力されたコメントを表示した一定時間後に半透明に表示させ、そののち、消すようにしてもよい
　　
「【図５】
」
　　
イ　引用文献１に記載された発明
　段落【００１８】によると、引用文献１記載の「コメント配信システム」は、「動画配信サーバ１」、「端末装置３」、「コメント配信サーバ２」からなる。
　　
　段落【００１８】によると、引用文献１記載の「動画配信サーバ１」は、「動画データを配信する」。
　　
　段落【００１８】、【００２４】、【００３５】、【００４５】、【００５４】、【００５５】によると、引用文献１記載の「端末装置３」は、前記動画配信サーバ１から配信される動画を受信し再生する端末装置３であって、前記端末装置３は、コメントの入力があった場合には、そのコメントが入力された時点における、その動画を再生している再生時間（動画再生時間）を読み出し、その動画再生時間をコメント付与時間とし、再生中の動画の動画ＩＤと、コメント情報投稿実時間と、前記端末装置３のユーザのユーザ名と、入力されたコメント内容と、コメント表示方法とを対応づけて、コメント情報としてコメント情報記憶部３３のコメント一覧に追加保存し、追加保存した前記コメント情報をコメント配信サーバ２に送信し、ここで、前記コメント内容は文字、記号を含むものであり、前記コメント表示方法は、前記コメントを表示させる位置、フォント、文字サイズ、表示時間を指定する情報を含むものである。
　　
　段落【００１８】、【００１９】によると、引用文献１記載の「コメント配信サーバ２」は、前記動画配信サーバ１が配信する動画に対する前記コメント情報を前記端末装置３から受信し、その動画を閲覧する各端末装置３に前記コメント情報を配信する前記コメント配信サーバ２であって、前記コメント配信サーバ２は、コメントの内容と、このコメント内容が付与された時点における、動画の再生開始時点を基準とした動画再生時間を前記コメント付与時間として前記コメント内容とを対応づけて前記コメント情報として記憶し、ここで、前記コメント情報は、前記コメント付与時間と前記コメント内容の他に、前記コメント情報投稿実時間と、前記ユーザ名と、コメントを動画上にどのように表示させるのかを指定する情報である前記コメント表示方法を対応付けたコメントデータが複数含まれている。
　　
　段落【００２０】によると、引用文献１記載の「コメント配信サーバ２」は、前記コメント情報を前記端末装置３に配信するコメント情報配信部２２を有している。
　　
　段落【００２１】、【００２２】によると、引用文献１記載の「端末装置３」は、再生する動画に対して入力された前記コメント情報を前記コメント配信サーバ２から受信し、再生される動画を表示するとともに、再生する動画の動画再生時間に対応する前記コメント付与時間が対応づけられたコメントを前記コメント情報から読み出し、読み出したコメントを前記コメント表示方法に従って動画とともに表示する。
　　
　段落【００４５】によると、引用文献１記載の「端末装置３」は、コメントが同じ位置（固定位置）で表示されるコメントである場合には、その固定位置で表示されるコメントを固定表示する。
　　
　段落【００４５】、【００５６】によると、引用文献１記載の「端末装置３」は、コメントの前記表示時間と当該コメントの文字列長とに基づいて、コメント同士が重なるか否かを判定し、コメントが重なると判定した場合に、コメント同士が重ならない位置にコメントを表示させるように表示位置を変更するものであり、例えば、実時間に基づいて、コメントの新旧を判断し、実時間において古い時点で入力されたコメントを表示した一定時間後に半透明に表示させ、そののち、消すようにする。
　　
　以上によると、引用文献１には、次の発明（以下「引用発明」という。）が記載されていると認められる。
　　
（引用発明）
「（ａ）動画データを配信する動画配信サーバ１と、
（ｂ−１）前記動画配信サーバ１から配信される動画を受信し再生する端末装置３であって、
（ｂ−２）前記端末装置３は、コメントの入力があった場合には、そのコメントが入力された時点における、その動画を再生している再生時間（動画再生時間）を読み出し、その動画再生時間をコメント付与時間とし、再生中の動画の動画ＩＤと、コメント情報投稿実時間と、前記端末装置３のユーザのユーザ名と、入力されたコメント内容と、コメント表示方法とを対応づけて、コメント情報としてコメント情報記憶部３３のコメント一覧に追加保存し、追加保存した前記コメント情報をコメント配信サーバ２に送信し、ここで、前記コメント内容は文字、記号を含むものであり、前記コメント表示方法は、前記コメントを表示させる位置、フォント、文字サイズ、表示時間を指定する情報を含むものであり、
（ｃ−１）前記動画配信サーバ１が配信する動画に対する前記コメント情報を前記端末装置３から受信し、その動画を閲覧する各端末装置３に前記コメント情報を配信する前記コメント配信サーバ２であって、
（ｃ−２）前記コメント配信サーバ２は、コメントの内容と、このコメント内容が付与された時点における、動画の再生開始時点を基準とした動画再生時間を前記コメント付与時間として前記コメント内容とを対応づけて前記コメント情報として記憶し、
（ｃ−３）ここで、前記コメント情報は、前記コメント付与時間と前記コメント内容の他に、前記コメント情報投稿実時間と、前記ユーザ名と、コメントを動画上にどのように表示させるのかを指定する情報である前記コメント表示方法を対応付けたコメントデータが複数含まれており、
（ｄ）前記動画配信サーバ１、前記端末装置３、前記コメント配信サーバ２からなるコメント配信システムであって、
（ｅ−１）前記コメント配信サーバ２は、前記コメント情報を前記端末装置３に配信するコメント情報配信部２２を有し、
（ｅ−２）前記端末装置３は、再生する動画に対して入力された前記コメント情報を前記コメント配信サーバ２から受信し、再生される動画を表示するとともに、再生する動画の動画再生時間に対応する前記コメント付与時間が対応づけられたコメントを前記コメント情報から読み出し、読み出したコメントを前記コメント表示方法に従って動画とともに表示し、
（ｅ−３）前記端末装置３は、コメントが同じ位置（固定位置）で表示されるコメントである場合には、その固定位置で表示されるコメントを固定表示し、
（ｅ−４）前記端末装置３は、コメントの前記表示時間と当該コメントの文字列長とに基づいて、コメント同士が重なるか否かを判定し、コメントが重なると判定した場合に、コメント同士が重ならない位置にコメントを表示させるように表示位置を変更するものであり、例えば、実時間に基づいて、コメントの新旧を判断し、実時間において古い時点で入力されたコメントを表示した一定時間後に半透明に表示させ、そののち、消すようにする
（ｆ）コメント配信システム。」
　　
（（ａ）〜（ｆ）は、引用発明の構成を区別するために付与した。以下各構成を「構成ａ」〜「構成ｆ」という。）
（３）対比
ア　補正発明と引用発明とを対比する。
（ア）構成Ａと構成ａを対比する。
　構成ａの「動画データ」は、構成Ａの「動画」に相当する。
　したがって、構成Ａと構成ａとは、「動画を配信する動画配信サーバ」として一致する。
　　
（イ）構成Ｂと構成ｂ−１、ｂ−２とを対比する。
　構成ｂ−１、ｂ−２において、端末装置３は、「前記動画配信サーバ１から配信される動画を受信し再生する端末装置３であって、前記端末装置３は、コメントの入力があった場合には、そのコメントが入力された時点における、その動画を再生している再生時間（動画再生時間）を読み出し、その動画再生時間をコメント付与時間とし、再生中の動画の動画ＩＤと、コメント情報投稿実時間と、前記端末装置３のユーザのユーザ名と、入力されたコメント内容と、コメント表示方法とを対応づけて、コメント情報としてコメント情報記憶部３３のコメント一覧に追加保存し、追加保存した前記コメント情報をコメント配信サーバ２に送信」するものであり、「前記動画を視聴し、又は視聴した動画再生端末装置にて動画再生中のコメントの表示を望むシーンのタイミングで当該コメント」「を作成しコメント配信サーバに送信」するといえる。
　また、構成ｂ−２において、「前記コメント内容は文字、記号を含むものであり、前記コメント表示方法は、前記コメントを表示させる位置、フォント、文字サイズ、表示時間を指定する情報を含むものであ」るから、端末装置３は、「文字・記号・フォントを定義付ける」コメント文字情報を作成しているといえる。
　しかしながら、「コメント文字情報」として、補正発明は「色彩」を含むのに対し、引用発明は「色彩」を含むものではない点で相違する。
　したがって、構成要件Ｂと構成ｂ−１、ｂ−２とは、「前記動画を視聴し、又は視聴した動画再生端末装置にて動画再生中のコメントの表示を望むシーンのタイミングで当該コメントの文字・記号・フォント・色彩を定義づけるコメント文字情報を作成しコメント配信サーバに送信」する点で共通する。
　しかしながら、「コメント文字情報」として、補正発明は「色彩」を含むのに対し、引用発明は「色彩」を含むものではない点で相違する。
　　
（ウ）構成Ｃと構成ｃ−１、ｅ−２〜ｅ−３とを対比する。
　構成ｃ−１は、「前記動画配信サーバ１が配信する動画に対する前記コメント情報を前記端末装置３から受信し、その動画を閲覧する各端末装置３に前記コメント情報を配信する前記コメント配信サーバ２」であるから、「これを受信したコメントであって、・・・再生すべきコメントを、・・・前記動画配信サーバから動画を受信し再生している動画再生端末装置に対して・・・配信するコメント配信サーバ」として構成要件Ｃと共通する。
　構成ｅ−３によると、固定位置で表示されるコメントがあり、このコメントは「静止コメント」といえ、当該静止コメントを配信するコメント配信サーバは「静止コメントサーバ」ともいえる。
　そうすると、構成ｃ−１、ｅ−３は、「これを受信したコメントであって、・・・再生すべきコメントを、・・・前記動画配信サーバから動画を受信し再生している動画再生端末装置に対して・・・配信する静止コメント配信サーバ」として構成要件Ｃと共通する。
　さらに、構成ｅ−２によると、「前記端末装置３は、再生する動画に対して入力された前記コメント情報を前記コメント配信サーバ２から受信し、再生される動画を表示するとともに、再生する動画の動画再生時間に対応する前記コメント付与時間が対応づけられたコメントを前記コメント情報から読み出し、読み出したコメントを前記コメント表示方法に従って動画とともに表示」するから、上記の「静止コメントサーバ」が配信する「静止コメント」は、「前記動画配信サーバから動画を受信し再生している動画再生端末装置に対してコメントを表示すべき前記タイミングと略同じタイミングで表示するように配信する」といえ、また、「コメント」は、「動画の再生に対して前記コメントの表示を望むシーンのタイミングで再生すべきコメント」といえる。
　以上まとめると、構成Ｃと構成ｃ−１、ｅ−２〜ｅ−３とは、「これを受信したコメントであって、動画の再生に対して前記コメントの表示を望むシーンのタイミングで再生すべきコメントを、静止コメントとして前記動画配信サーバから動画を受信し再生している動画再生端末装置に対してコメントを表示すべき前記タイミングと略同じタイミングで表示するように配信する静止コメント配信サーバ」として一致する。
　　
（エ）構成Ｄ、Ｆと構成ｄ、ｆとを対比する。
　引用発明は、「前記動画配信サーバ１、前記端末装置３、前記コメント配信サーバ２からなるコメント配信システム」であるが、「端末装置３」において動画を視聴するものでもあるから、「動画視聴システム」といえ、「動画視聴システム」として、補正発明と一致する。
　　
（オ）構成Ｅと構成ｃ−１〜ｃ−３、ｂ−２、ｅ−１〜ｅ−４とを対比する。
　構成ｃ−３の「コメント付与時間」及び構成ｂ−２の「コメント表示方法」の「表示時間」は、構成要件Ｅの「各コメントが動画再生画面中に再生開始されるタイミングである再生時間タイミング又は／及びその後消去されるタイミングである消去時間タイミングを示す情報である継続表示時間情報」に相当する。
　構成ｂ−２の「コメント表示方法」の「文字サイズ」は、文字サイズによって、画面占有量が変わることは明らかであるから、「各コメントの画面占有量情報」として、構成要件Ｅと共通する。
　しかしながら、「各コメントの画面占有量情報」が、補正発明においては「文字数を示す」のに対し、引用発明においては、「文字数を示す」ものでない点で相違する。
　構成ｂ−２の「コメント表示方法」の「表示させる位置」は、構成要件Ｅの「一のコメントの表示」「に関する情報」に相当する。構成ｂ−２の「コメント表示方法」の「表示させる位置」及び構成ｃ−３の「コメント情報投稿実時間」は、端末装置において、「コメントの表示される位置が重複する場合の表示として、実時間に基づいて、コメントの新旧を判断し、実時間において古い時点で入力されたコメントを表示した一定時間後に半透明に表示させ、そののち、消すように」（構成ｅ−４）するために用いられるから、構成要件Ｅの「複数のユーザによって作成された表示を望むシーンのタイミングで再生すべき複数のコメントの文字情報の相互表示に関する情報」に相当する。
　構成ｃ−１〜ｃ−３の「コメント配信サーバ２」は、これらの情報を端末装置３に配信するものであって、端末装置３は、構成ｅ−２〜ｅ−４のように、コメントを表示するものであるから、配信する情報は、「コメント配置情報」といえ、「動画再生端末装置において動画再生画面上にて同時に表示されるコメントの配置計画を演算させるために送信する」といえる。
　構成ｅ−１の「コメント情報配信部２２」は、構成Ｅの「コメント配置情報送信部」に相当する。
　さらに、「コメント配信サーバ」が「静止コメントサーバ」ともいえることは、上記（ウ）のとおりである。
　　
　以上まとめると、構成Ｅと構成ｃ−１〜ｃ−３、ｂ−２、ｅ−１〜ｅ−４とは、
「前記静止コメント配信サーバは、
　各コメントが動画再生画面中に再生開始されるタイミングである再生時間タイミング又は／及びその後消去されるタイミングである消去時間タイミングを示す情報である継続表示時間情報と、各コメントの画面占有量情報と、一のコメントの表示又は複数のユーザによって作成された表示を望むシーンのタイミングで再生すべき複数のコメントの文字情報の相互表示に関する情報を含むコメント配置情報を、動画再生端末装置において動画再生画面上にて同時に表示されるコメントの配置計画を演算させるために送信するコメント配置情報送信部を有する」点で共通する。
　しかしながら、「各コメントの画面占有量情報」が、補正発明においては「文字数を示す」のに対し、引用発明においては、「文字数を示す」ものでない点で相違する。
　　
イ　一致点、相違点
　以上によると、補正発明と引用発明の一致点、相違点は次のとおりである。
　　
（一致点）
動画を配信する動画配信サーバと、
　前記動画を視聴し、又は視聴した動画再生端末装置にて動画再生中のコメントの表示を望むシーンのタイミングで当該コメントの文字・記号・フォントを定義づけるコメント文字情報を作成しコメント配信サーバに送信し、これを受信したコメントであって、動画の再生に対して前記コメントの表示を望むシーンのタイミングで再生すべきコメントを、静止コメントとして前記動画配信サーバから動画を受信し再生している動画再生端末装置に対してコメントを表示すべき前記タイミングと略同じタイミングで表示するように配信する静止コメント配信サーバと、
　からなる動画視聴システムであって、
　前記静止コメント配信サーバは、各コメントが動画再生画面中に再生開始されるタイミングである再生時間タイミング又は／及びその後消去されるタイミングである消去時間タイミングを示す情報である継続表示時間情報と、各コメントの画面占有量情報と、一のコメントの表示又は複数のユーザによって作成された表示を望むシーンのタイミングで再生すべき複数のコメントの文字情報の相互表示に関する情報を含むコメント配置情報を、動画再生端末装置において動画再生画面上にて同時に表示されるコメントの配置計画を演算させるために送信するコメント配置情報送信部を有する
　動画視聴システム。
　　
（相違点１）
　「コメント文字情報」として、補正発明は「色彩」を含むのに対し、引用発明は「色彩」を含むものではない点。
　　
（相違点２）
　「各コメントの画面占有量情報」が、補正発明においては「文字数を示す」のに対し、引用発明においては、「文字数を示す」ものでない点。
　　
（４）判断
ア　相違点１について
　コメント文字を表示する際に、色を指定することは普通に想定できるから、引用発明において、コメント文字情報に色彩を定義づけるようにすることは、当業者が容易に想到し得ることである。
　　
イ　相違点２について
　引用発明の構成ｅ−４は、コメントの文字列長を用いてコメントが重なるか否かを判定するものであって、コメントの文字列長として、コメントの文字数は普通に想定されるから、コメント文字列長（コメントの文字数）をコメントを作成した端末から送信することも想定される。
　また、本願の図１５をみると、「コメント文字数（画面占有量情報）」と記載されているから、コメント文字列長、すなわち、コメントの文字数は、コメントの文字数を示す画面占有量情報といえる。
　したがって、引用発明において、「画面占有量情報」を「文字数を示す画面占有量情報」とすることは、当業者が容易に想到し得ることである。
　　
ウ　そして、補正発明が奏する効果は、その容易想到である構成から当業者が容易に予測し得る範囲内のものであり、同範囲を超える顕著なものでもない。
　　
エ　したがって、補正発明は、引用文献１記載された発明に基づいて当業者が容易に発明することができたものであるから、特許法２９条２項の規定により特許出願の際独立して特許を受けることができない。
　よって、本件補正は、特許法第１７条の２第６項において準用する同法第１２６条第５項の規定に違反している。
　　
４　まとめ
　以上のとおり、本件補正は、特許法第１７条の２第５項の規定に違反するので、同法第１５９条第１項において読み替えて準用する同法第５３条第１項の規定により却下すべきものである。
　仮に、本件補正が、特許請求の範囲の減縮を目的とするものであったとしても、本件補正は、特許法第１７条の２第６項において準用する同法第１２６条第５項の規定に違反するので、同法第１５９条第１項において読み替えて準用する同法第５３条第１項の規定により却下すべきものである。
　　
　よって、補正却下の決定の結論のとおり決定する。
 　 
第３　本願発明について
１　本願発明
　平成２９年３月３０日付けの手続補正は、上記のとおり却下されたので、本願の請求項１〜８に係る発明は、平成２８年１１月２９日付け手続補正により補正された明細書、特許請求の範囲及び図面の記載からみて、その特許請求の範囲の請求項１〜８に記載した事項により特定されるとおりのものであるところ、請求項１に係る発明（以下「本願発明」という。）は次のとおりである。
　　
（本願発明）
「（Ａ）動画を配信する動画配信サーバと、
（Ｂ’）前記動画を視聴し、又は視聴した動画再生端末装置にて動画再生中のコメントの表示を望むシーンのタイミングで当該コメントの文字・記号・フォント・色彩などを定義づけるコメント文字情報とその表示または相互表示に関する情報を作成しコメント配信サーバ等に送信し、
（Ｃ）これを受信したコメントであって、動画の再生に対して前記コメントの表示を望むシーンのタイミングで再生すべきコメントを、静止コメントとして前記動画配信サーバから動画を受信し再生している動画再生端末装置に対してコメントを表示すべき前記タイミングと略同じタイミングで表示するように配信する静止コメント配信サーバと、
（Ｄ）からなる動画視聴システムであって、
（Ｅ’）前記静止コメント配信サーバは、
　各コメントが動画再生画面中に再生開始されるタイミングである再生時間タイミング又は／及びその後消去されるタイミングである消去時間タイミングを示す情報である継続表示時間情報と、各コメントに割り当てられている画面占有量を示す画面占有量情報と、を含むコメント配置情報を、動画再生端末装置において動画再生画面上にて同時に表示されるコメントの配置計画を演算させるために送信するコメント配置情報送信部を有する
（Ｆ）動画視聴システム。」
　　
（（Ａ）〜（Ｆ）は、当審で付与した。補正発明と同じ構成には同じ記号を付与し、補正発明の構成に対応する構成には、記号に「’」を付与した。以下各構成を「構成Ａ」〜「構成Ｆ」という。）
　　
２　引用文献１に記載された発明
　原査定の拒絶の理由に引用された上記引用文献１には、上記引用発明が記載されている（上記第２の３（２）イ）。
　　
３　対比
　本願発明と引用発明とを対比する。
　　
（１）構成Ａと構成ａを対比する。
　構成ａの「動画データ」は、構成Ａの「動画」に相当する。
　したがって、構成Ａと構成ａとは、「動画を配信する動画配信サーバ」として一致する。
　　
（２）構成Ｂ’と構成ｂ−２、ｃ−３とを対比する。
　構成ｂ−２において、「端末装置は、コメントの入力があった場合には、そのコメントが入力された時点における、その動画の再生時間（動画再生時間）を読み出し、その動画再生時間をコメント付与時間とし、再生中の動画の動画ＩＤと、現在の実時間情報（現在時刻の情報）と、端末装置のユーザのユーザ名と、入力されたコメント内容と、コメント表示方法とを対応づけて、コメント情報としてコメント情報記憶部のコメント一覧に追加保存し、追加保存したコメント情報を静止コメント配信サーバに送信」するものであり、「前記動画を視聴し、又は視聴した動画再生端末装置にて動画再生中のコメントの表示を望むシーンのタイミングで当該コメント」「を作成しコメント配信サーバに送信」するといえる。
　また、構成ｂ−２において、「コメントには文字、記号があり、コメント表示方法として、表示させる位置、フォント、文字サイズ、表示時間を指定する情報があ」るから、「文字・記号・フォント・色彩などを定義付ける」コメント文字情報を作成しているといえる。
　さらに、構成ｂ−２の「表示させる位置」は、「その表示」（コメント文字情報）「に関する情報」に相当する。構成ｂ−２の「表示させる位置」及び構成ｃ−３の「コメント情報投稿実時間」は、端末装置において、「コメントの表示される位置が重複する場合の表示として、実時間に基づいて、コメントの新旧を判断し、実時間において古い時点で入力されたコメントを表示した一定時間後に半透明に表示させ、そののち、消すように」（構成ｅ−４）するために用いられるから、「相互表示に関する情報」に相当する。
　したがって、構成Ｂ’と構成ｂ−２と、ｃ−３は、「前記動画を視聴し、又は視聴した動画再生端末装置にて動画再生中のコメントの表示を望むシーンのタイミングで当該コメントの文字・記号・フォント・色彩などを定義づけるコメント文字情報とその表示または相互表示に関する情報を作成しコメント配信サーバ等に送信」する点で一致する。
　　
（３）構成Ｃは、補正発明の構成Ｃと同じであるから、上記第２の３（３）ア（ウ）を援用する。
　構成要件Ｃと構成ｃ−１、ｅ−２〜ｅ−３は、「これを受信したコメントであって、動画の再生に対して前記コメントの表示を望むシーンのタイミングで再生すべきコメントを、コメントとして前記動画配信サーバから動画を受信し再生している動画再生端末装置に対してコメントを表示すべき前記タイミングと略同じタイミングで表示するように配信する静止コメント配信サーバ」として一致する。
　　
（４）構成Ｄ、Ｆは、補正発明の構成Ｄ、Ｆと同じであるから、上記第２の３（３）ア（エ）を援用する。
　本願発明と引用発明とは、「動画視聴システム」として一致する。
（５）構成Ｅ’と構成ｃ−１〜ｃ−３、ｂ−２、ｅ−１〜ｅ−４とを対比する。
　構成ｃ−３の「コメント付与時間」及び構成ｂ−２の「コメント表示方法」の「表示時間」は、構成要件Ｅの「各コメントが動画再生画面中に再生開始されるタイミングである再生時間タイミング又は／及びその後消去されるタイミングである消去時間タイミングを示す情報である継続表示時間情報」に相当する。
　構成ｂ−２の「コメント表示方法」の「文字サイズ」は、文字サイズによって、画面占有量が変わることは明らかであるから、「各コメントの画面占有量情報」として、構成要件Ｅと共通する。
　しかしながら、「各コメントの画面占有量情報」が、本願発明においては「各コメントに割り当てられている画面占有量を示す」のに対し、引用発明においては、「各コメントに割り当てられている画面占有量を示す」と特定されていない点で相違する。
　構成ｃ−１〜ｃ−３の「コメント配信サーバ２」は、これらの情報を端末装置３に配信するものであって、端末装置３は、構成ｅ−２〜ｅ−４のように、コメントを表示するものであるから、配信する情報は、「コメント配置情報」といえ、「動画再生端末装置において動画再生画面上にて同時に表示されるコメントの配置計画を演算させるために送信する」といえる。
　構成ｅ−１の「配信するコメント情報配信部２２」は、構成Ｅの「コメント配置情報送信部」に相当する。
　さらに、「コメント配信サーバ」が「静止コメントサーバ」ともいえることは、上記（３）で援用した上記第２の３（３）ア（ウ）のとおりである。
　　
　以上まとめると、構成Ｅ’と構成ｃ−１〜ｃ−３、ｂ−２、ｅ−１〜ｅ−４とは、
「前記静止コメント配信サーバは、
　各コメントが動画再生画面中に再生開始されるタイミングである再生時間タイミング又は／及びその後消去されるタイミングである消去時間タイミングを示す情報である継続表示時間情報と、各コメントに割り当てられている画面占有量を示す画面占有量情報と、を含むコメント配置情報を、動画再生端末装置において動画再生画面上にて同時に表示されるコメントの配置計画を演算させるために送信するコメント配置情報送信部を有する」点で共通する。
　しかしながら、「各コメントの画面占有量情報」が、本願発明においては「各コメントに割り当てられている画面占有量を示す」のに対し、引用発明においては、「各コメントに割り当てられている画面占有量を示す」と特定されていない点で相違する。
　　
４　一致点、相違点
　以上によると、一致点、相違点は次のとおりである。
　　
（一致点）
動画を配信する動画配信サーバと、
　前記動画を視聴し、又は視聴した動画再生端末装置にて動画再生中のコメントの表示を望むシーンのタイミングで当該コメントの文字・記号・フォント・色彩などを定義づけるコメント文字情報とその表示または相互表示に関する情報を作成しコメント配信サーバ等に送信し、
　これを受信したコメントであって、動画の再生に対して前記コメントの表示を望むシーンのタイミングで再生すべきコメントを、静止コメントとして前記動画配信サーバから動画を受信し再生している動画再生端末装置に対してコメントを表示すべき前記タイミングと略同じタイミングで表示するように配信する静止コメント配信サーバと、
　からなる動画視聴システムであって、
　前記静止コメント配信サーバは、
　各コメントが動画再生画面中に再生開始されるタイミングである再生時間タイミング又は／及びその後消去されるタイミングである消去時間タイミングを示す情報である継続表示時間情報と、各コメントの画面占有量情報と、を含むコメント配置情報を、動画再生端末装置において動画再生画面上にて同時に表示されるコメントの配置計画を演算させるために送信するコメント配置情報送信部を有する
　動画視聴システム。
　　
（相違点）
　「各コメントの画面占有量情報」が、本願発明においては「各コメントに割り当てられている画面占有量を示す」のに対し、引用発明においては、「各コメントに割り当てられている画面占有量を示す」と特定されていない点。
　　
５　判断
　本願発明における「各コメントに割り当てられている画面占有量を示す画面占有量情報」は、コメントの文字数を示す画面占有量情報を含む概念と認められる。
　そして、「コメントの文字数を示す画面占有量情報」については、上記第２の３（４）イにおいて判断したとおりであるから、「各コメントの画面占有量情報」を「各コメントに割り当てられている画面占有量を示す画面占有量情報」とすることは、当業者が容易に想到し得ることである。
　　
　そして、本願発明が奏する効果は、その容易想到である構成から当業者が容易に予測し得る範囲内のものであり、同範囲を超える顕著なものでもない。
　　
６　むすび
　以上のとおり、本願の請求項１に係る発明は、引用文献１に記載された発明に基づいて当業者が容易に発明をすることができたものであるから、特許法第２９条第２項の規定により特許を受けることができない。
　　
　したがって、本願は、他の請求項について検討するまでもなく、拒絶すべきものである。
　　
　よって、結論のとおり審決する。